(57)【要約】遠心分離装置連結の変速機について、プラネタリギア（１）を構成しているサンギア（２）オピニオン（３）インターナルギア（４）の外周、内周に等間隔にＮ極Ｓ極と着磁し、シャフトの軸受（９）はすべて同極に着磁した変速機に連結した遠心分離装置である。この構造により超高速回転を可能にし、回転中の遠心分離装置（２１）にニッケル触媒を一定量溶かし込んだ水を適量ずつ供給することにより連続して水素を製造することが出来る。
2005053854.tif 000002
【特許請求の範囲】
【請求項１】
マグネットの磁力を組込んだ変速機と連結しており、超高速回転を可能にしたことを特徴とする遠心分離装置。
【請求項２】
請求の範囲１に記載した遠心分離装置を超高速回転で運転し、これにニッケル触媒を溶かし込んだ水を適量ずつ供給しながら連続して水素を製造する方法。
【請求項３】
請求の範囲１に記載した遠心分離装置を超高速回転で運転し、あらゆる種類の流体物を適量ずつ供給しながら連続して流体物の原素を分離する方法。
【発明の詳細な説明】
【技術分野】  この発明は、遠心分離装置による遠心力を利用して水（Ｈ２Ｏ）から水素（Ｈ２）を分離し製造する方法と装置に関する。
【背景技術】  従来から水素を発生させる方法はいくつか知られている。
例えば水を電気で分解する方法、水を熱で分解する方法、ガスやメタノールを水蒸気で改貭する方法、水に光触媒酸化チタンを混ぜて太陽光を当て水素を発生させる方法、又最近開発された技術では植物繊維を白蟻菌によって発酵させ、直接水素を発生させる方法など数例が知られている。
しかしながらこれらの方法にはそれぞれに欠点があった。
即ち、水を電気で分解する方法では大量の電力を必要とする。
水を熱で分解する方法では、高温で大量の熱エネルギーを必要とする。
ガスやメタノールを水蒸気で改貭する方法ではガスやメタノールの原料を必要とする。
水に光触媒酸化チタンを混ぜて太陽光を当て水素を発生させる方法では、広大な平面積と水槽が必要となる。
植物繊維を白蟻菌によって発酵させ水素を発生する方法では大量の植物繊維を集める必要がある。
このような従来の水素製造方法では、所謂製造のランニングコストや貯蔵・運搬・末端の供給設備など、所謂インフラに関する安全技術や設備上に規制があり、インフラコストが掛るのが欠点となり、水素が燃料として容易に普及しない原因の一つとなっていた。
本発明はこのような従来の水素の製造方法や供給に関する欠点を除いた水素の製造方法と装置を提供することを目的としている。
【発明の開示】
本発明は遠心分離装置を回転数１００，０００ｒｐｍ以上の超高速回転により５Ｇ（重力の５倍）以上の遠心力を発生させ、回転中の遠心力分離装置にニッケル触媒を一定量溶かし込んだ水を適量づつ供給しつづけ、連続して水素（Ｈ２）と酸素（Ｏ）に分離させ水素を製造する。この場合入力する市販のモーターの回転数は２，０００ｒｐｍ〜５，０００ｒｐｍ程度であるが、これに３倍速〜５倍速の変速機を２段〜３段増設して超高速回転を可能にする。しかし普通の変速機の歯車式遊星ギア（プラネタリギア）では摩擦抵抗が大きすぎて負担がかかり騒音や高熱を発し劣化を招き、長時間の超高速回転には耐えられない。又普通のベアリング式軸受では摩擦熱と騒音が発生し劣化を招き長時間の超高速回転には耐えられない。
そこで、本発明の遠心分離装置の変速機はマグネットの磁力（ＢＨ）ｍａｘ７０以上の磁石を組込んだ遊星ギア（プラネタリギア）を考案することにより非接触で回転を伝導させ、１００，０００ｒｐｍ以上の超高速回転を長時間運転出来るようにした。
【図面の簡単な説明】  第１図はこの発明にかかわる非接触の遊星ギア（プラネタリギア）を示す図であり、第２図は、２段式変速機の断面を示す図であり、第３図は全体の水素発生装置の概略を示す図である。
【発明を実地するための最良の形態】
本発明をより詳細に説述するために、添付の図面に従ってこれを説明する。
第１図は遊星ギア（プラネタリギア▲１▼）において、最初にインターナルギア▲４▼に入力された回転運動はオピニオン▲３▼に伝導され更にサンギア▲２▼に伝導される。この時、インターナルギア▲４▼の１回転でサンギア▲２▼は５回転する。
この遊星ギア（プラネタリギア▲１▼）を２段連結することにより回転数は２５倍に増速される。即ち最初４，０００ｒｐｍ回転の超偏平面対向形ブラシレスモーターに入力すると水素分離椀▲１１▼では１００，０００ｒｐｍ回転となる。
次にサンギア▲２▼、オピニオン▲３▼、インターナルギア▲４▼の外周、内周には、それぞれ等間隔でＮ極、Ｓ極と交替に（ＢＨ）ｍａｘ７０クラスの強力なマグネットをそれぞれの歯車の接近点が同極になるような間隔で着磁する。これで磁石の吸引力と反発力の作用により非接触で歯車の動力は伝導される。
シャフトの軸受▲９▼はすべて同極で着磁する。これで磁石の反発力によりシャフトは非接触で回転する。水は外部よりサンギア▲２▼を兼ねたシャフトの空洞に細目のパイプ▲５▼を通して供給し水素分離椀▲１１▼で水素と酸素に分離されタンク▲１２▼に滞留する。
タンク▲１２▼内では水素は軽いので上部に滞留し、酸素は重いので下部に滞留する。水素は上部パイプ▲１３▼を通して高圧ポンプ▲１４▼で水素タンク▲１５▼に送られ２００気圧に圧縮して貯蔵される。▲１６▼は圧力計である。タンク▲１２▼内の下部に滞留した酸素は下部パイプ▲２５▼を通して送風パイプ▲２３▼と合流し燃焼バーナー▲２４▼に供給し水素の燃焼に供される。
概略図の説明は水タンク▲１７▼に水を入れ、ニッケル触媒を一定の割合で混入し攪拌モーター▲１８▼で攪拌スクリュー▲１９▼を回転させ均一にする。これを送水パイプ▲２０▼を通して超高速回転遠心分離機▲２１▼に送水する。一方、送風機▲２２▼を運転して送風パイプ▲２３▼を通し燃焼バーナー▲２４▼に風を送り込む。バルブ▲２６▼により水素の量を調整し火力をコントロールする。配電盤▲２７▼により各モーター▲１８▼▲２１▼▲２２▼▲１４▼にそれぞれに配電する。
【産業上の利用可能性】    水素は燃料としてその用途は広い。化石燃料に変わる排気ガス（ＣＯ２）を出さないクリーンエネルギーとして注目されている。
本発明は、水を原料とするので、いつでも、どこでも、安価で、あるいは無料でたやすく調達出来る。又短時間で大量に水素を製造出来る。
本発明の水素製造装置はコンパクトに設計出来、しかも運転するための電気はモーターを４個運転するだけの電力で足りる。ランニングコストは安い。
それぞれの用途に応じて、大型、中型、小型、車載用、家庭用など自由に設計出来る。例を挙げれば、海水を直水に替えて大型発電所に利用する方法、河川水を利用して中型発電所に利用する方法、地下水を利用して、工場・病院・ホテル・大型店舗で自家発電する方法、水道水を利用して家庭内で自家発電する方法、水素を燃やしてボイラーに利用する方法、水素を燃やして冷温房に利用する方法、各種燃料電池に利用する方法などがある。
▲１▼  遊星ギア（プラネタリギア）  ▲１４▼  圧力ポンプ
▲２▼  サンギア                    ▲１５▼  水素タンク
▲３▼  オピニオン                  ▲１６▼  圧力計
▲４▼  インターナルギア            ▲１７▼  水タンク
▲５▼  送水パイプ                  ▲１８▼  攪拌モーター
▲６▼  超偏平面対向型プラン        ▲１９▼  スクリュー
レスモーターコイル
▲７▼  同上モーターマグネット      ▲２０▼  送水パイプ
▲８▼  オピニオンシャフト          ▲２１▼  超高速回転
遠心分離機
▲９▼  シャフトの軸受              ▲２２▼  送風機モータ
▲１０▼  ケーシング                ▲２３▼  送風パイプ
▲１１▼  水素分離椀                ▲２４▼  燃焼バーナー
▲１２▼  滞留タンク                ▲２５▼  酸素パイプ
▲１３▼  水素パイプ                ▲２６▼  バルブ
▲２７▼  配電盤
【図１】
2005053854.tif 000003
【図２】
2005053854.tif 000004
【図３】
2005053854.tif 000005
【手続補正書】
【提出日】平成18年8月30日(2006.8.30)
【手続補正１】
【補正対象書類名】特許請求の範囲
【補正対象項目名】全文
【補正方法】変更
【補正の内容】
【特許請求の範囲】
【請求項１】
マグネツトの磁力を組み込んだ変速機や軸受けと連結しており、長時間に及び超高速回転を可能にしたことを特徴とする遠心分離装置。
【請求項２】
請求の範囲１に記載した遠心分離装置を超高速回転で運転し、これにニツケル触媒を溶かし込んだ水を適量ずつ供給しながら連続して水素を製造する方法。
【請求項３】
請求の範囲１に記載した遠心分離装置を超高速回転で運転し、これに酸化銅触媒を溶かし込んだ水を適量ずつ供給しながら連続して水素を製造する方法。
【国際調査報告】
2005053854.tif 000006
2005053854.tif 000007
2005053854.tif 000008
2005053854.tif 000009
2005053854.tif 000010
2005053854.tif 000011
2005053854.tif 000012